(57)【要約】【課題】固定刃１２の可動刃１３に対する位置調整操作によっても、あるいは印字用紙（ラベル用紙３）の切断形態としてフルカットあるいはパーシャルカットに切り替えても、あるいはパーシャルカットの切残し量を調整しても、印字用紙３の用紙詰まりを発生させないようにしたプリンターにおける切断部の用紙ガイド装置を提供する。【解決手段】案内プレート４３と固定刃１２とを一体化することに着目し、 固定刃１２を可動刃１３に対して位置調整可能な固定刃位置調整機構４１が、プリンター本体２に取り付けた固定プレート（固定ステー４２）と、固定プレート４２に対して位置調整可能に取り付けるとともに印字用紙３の用紙先端部を固定刃１２および可動刃１３の間に案内可能な案内プレート４３と、を有し、固定刃１２を固定プレート４２に対して案内プレート４３と一体的に位置調整可能としている。【選択図】図２
2015044368.tif 000002
【特許請求の範囲】
【請求項１】
プリンター本体と、
このプリンター本体に装填した印字用紙に印字する印字部と、
この印字部において印字された前記印字用紙を切断する固定刃および可動刃を備えた切断部と、を有するプリンターにおける切断部の用紙ガイド装置であって、
前記切断部は、前記固定刃を前記可動刃に対して位置調整可能な固定刃位置調整機構を有し、
この固定刃位置調整機構は、
前記プリンター本体に取り付けた固定プレートと、
この固定プレートに対して位置調整可能に取り付けるとともに、前記印字用紙の用紙先端部を前記固定刃および前記可動刃の間に案内可能な案内プレートと、を有し、
前記固定刃はこれを、前記固定プレートに対してこの案内プレートと一体的に位置調整可能としていることを特徴とするプリンターにおける切断部の用紙ガイド装置。
【請求項２】
前記固定刃位置調整機構は、
前記固定プレートに対向して前記固定プレートとの間に前記固定刃を位置させるとともに、その長さ方向に対して傾斜している固定刃位置調整用傾斜窓を形成した可動プレートと、
この可動プレートに形成した可動プレート貫通孔、前記固定刃に形成した固定刃貫通孔、前記案内プレートに形成した案内プレート貫通孔、および前記固定プレートに形成した調整用長窓に係合可能な留め具と、
前記可動プレートの前記固定刃位置調整用傾斜窓、および前記固定プレートにその長さ方向に平行に形成した平行窓にそれぞれ係合するとともに、前記固定プレートに対して平行に移動調整可能な固定刃位置調整用スライダーと、を有することを特徴とする請求項１記載のプリンターにおける切断部の用紙ガイド装置。
【請求項３】
前記固定プレートの前記調整用長窓は、
前記固定刃を前記可動刃に対して位置調整可能とする方向に延びていることを特徴とする請求項２記載のプリンターにおける切断部の用紙ガイド装置。
【請求項４】
前記案内プレートは、
前記固定刃の面に沿って互いに固定可能な取付けプレート部と、
この取付けプレート部に対して屈曲しているとともに、前記印字用紙を前記固定刃および前記可動刃の間に案内可能な案内プレート部と、
この案内プレート部と前記取付けプレート部との間の屈曲部と、を有することを特徴とする請求項１ないし３のいずれかに記載のプリンターにおける切断部の用紙ガイド装置。
【請求項５】
前記固定刃の尖端刃部は、前記案内プレートの前記屈曲部の近傍にこれを位置させていることを特徴とする請求項４記載のプリンターにおける切断部の用紙ガイド装置。
【請求項６】
前記可動プレートおよび前記固定刃は、互いに係合することにより前記可動プレートおよび前記固定刃を互いに一体化可能な係合部をそれぞれ有することを特徴とする請求項１ないし５のいずれかに記載のプリンターにおける切断部の用紙ガイド装置。
【請求項７】
前記固定刃位置調整用スライダーは、
前記固定プレートの前記平行窓に係合して移動可能な平行窓係合凸部と、
前記可動プレートの前記固定刃位置調整用傾斜窓に係合して移動可能な傾斜窓係合凸部と、を有することを特徴とする請求項２ないし６のいずれかに記載のプリンターにおける切断部の用紙ガイド装置。
【請求項８】
前記固定刃位置調整用スライダーは、
前記固定プレートと前記可動プレートとの間において、前記固定刃の前記可動刃とは反対側の部位にこれを位置させていることを特徴とする請求項２ないし７のいずれかに記載のプリンターにおける切断部の用紙ガイド装置。
【請求項９】
前記固定刃位置調整用スライダーは、
前記固定刃の左右長さ方向にこれを移動可能とすることにより、前記固定刃の前記可動刃に対する相対的位置を調整可能であることを特徴とする請求項２ないし８のいずれかに記載のプリンターにおける切断部の用紙ガイド装置。
【請求項１０】
前記固定プレートは、
前記印字用紙の移送方向において前記案内プレートより上流側に設けた固定ステーであることを特徴とする請求項１ないし９のいずれかに記載のプリンターにおける切断部の用紙ガイド装置。
【請求項１１】
前記案内プレートは、
前記固定プレートより薄くこれを形成するとともに、
前記固定プレートと前記固定刃との間において、前記案内プレートと同じ厚さのスペーサーを配置していることを特徴とする請求項１０記載のプリンターにおける切断部の用紙ガイド装置。
【発明の詳細な説明】
【技術分野】
【０００１】
本発明はプリンターにおける切断部の用紙ガイド装置にかかるもので、とくに固定刃および可動刃によるギロチン方式で印字用紙を切断するプリンターにおける切断部の用紙ガイド装置に関するものである。
【背景技術】
【０００２】
従来から、ラベルやタグなどの印字用紙に印字して所定のピッチで切断することにより単葉の用紙片を得るようにしたプリンターがある。
図４ないし図９にもとづき概説する。
図４は、プリンター（たとえばサーマルプリンター１）の概略側面図であって、サーマルプリンター１は、プリンター本体２と、印字用紙（ラベル用紙３）の供給部４と、検出部５と、印字部６と、切断部７と、を有する。
【０００３】
プリンター本体２は、内部を開閉可能な開閉用カバー（図示せず）を設けておくことができ、印字切断済みのラベル用紙３を発行口８から発行可能とする。
【０００４】
ラベル用紙３は、プリンター本体２内にこれを装填し、たとえばサーマル印字が可能であって、その表面に所定の情報を印字可能である。
【０００５】
供給部４は、ラベル用紙３をロール状に保持するとともに、検出部５、印字部６および切断部７方向にラベル用紙３を帯状に繰り出し可能とする。
【０００６】
検出部５は、位置検出センサー９を有し、ラベル用紙３の裏面にあらかじめ印刷した位置検出用マーク（図示せず）などを検出し、印字部６および切断部７に対するラベル用紙３の相対位置を検出可能とする。
【０００７】
印字部６は、サーマルヘッド１０およびプラテンローラー１１を有し、この間にラベル用紙３を挟持し、プラテンローラー１１の回転駆動とともに、サーマルヘッド１０からの印字データにもとづきラベル用紙３に所定情報を印字可能である。
【０００８】
切断部７は、印字部６において印字されたラベル用紙３をその幅方向において切断する固定刃１２および可動刃１３と、固定刃１２を可動刃１３に対して位置調整可能な固定刃位置調整機構１４と、を備えている。
【０００９】
図５は、ラベル用紙３の移送方向から見た固定刃１２および可動刃１３の幅方向概略図である。
固定刃１２は、固定刃位置調整機構１４を介してプリンター本体２にその位置調整した状態で固定セット可能にこれを取り付けているとともに、可動刃１３は、固定刃１２に対して一定ストロークでこれを相対的に接離駆動することにより、その間に移送されてくるラベル用紙３を所定ピッチで切断可能である。
ただし、固定刃１２がラベル用紙３の表面に対して平行な尖端刃部１２Ａを有する一方、可動刃１３は、ラベル用紙３の裏面に対して傾斜している左右対称の傾斜刃部１３Ａを有している。
可動刃１３を固定刃１２に対して、図５中、上下方向に一定ストロークで駆動可能としているとともに（図中、実線矢印を参照）、固定刃位置調整機構１４により固定刃１２の可動刃１３に対する相対位置を図５中、上下方向に調整して（図中、点線矢印を参照）、ラベル用紙３の切断形態を選択可能である。
【００１０】
すなわち、図６は、切断部７によるラベル用紙３の切断形態の平面説明図であって、固定刃位置調整機構１４により固定刃１２を可動刃１３に対して、図５中、下方に接近するように調整位置決めすれば、図６の左方に示したようにラベル用紙３を幅方向に完全に切断（フルカットＦ）することができ、単葉のラベル片３Ａとして発行口８から得ることができる。
一方、固定刃位置調整機構１４により固定刃１２を可動刃１３に対して、図５中、上方に離反するように調整位置決めすれば、図６の右方に示したようにラベル用紙３を幅方向中央一部に非切断部３Ｂを残した状態で切断（パーシャルカットＰ）することができ、複数枚の単葉のラベル片３Ａが連設された形態のラベル連続体として発行口８から得て、必要に応じて手により非切断部３Ｂを引きちぎって単葉のラベル片３Ａを得ることができる。
【００１１】
ただし、可動刃１３のストロークを、より大きな第１のストロークと、より小さな第２のストロークと、に切り替え可能としておき、上記固定刃位置調整機構１４とは関係なく、第１のストロークによる切断操作によって上記フルカットＦを行い、第２のストロークによる切断操作によって上記パーシャルカットＰを行うようにすることもできる。
この第２のストロークによるパーシャルカットＰの切断形態において、固定刃位置調整機構１４により、パーシャルカット時の切残し量（非切断部３Ｂの長さ）を調整するように構成することもできる。
【００１２】
図７は、切断部７において、現在提案されている固定刃位置調整機構１４の分解斜視図、図８は、固定刃位置調整機構１４のラベル用紙３の移送方向に沿った縦断面図である。
固定刃位置調整機構１４は、ラベル用紙３の移送方向において上流側に位置するカッターステー１５と、下流側に位置するカッターカバー１６と、固定刃１２の図中、上方部位（可動刃１３とは反対側の部位）に位置する固定刃位置調整用スライダー１７と、左右一対の留め具（留めボルト１８）と、を有する。
【００１３】
カッターステー１５は、前記開閉用カバーその他のプリンター本体２に固定してネジ留め可能な左右一対の留めプレート部１９と、留めプレート部１９に対して直角下方（ラベル用紙３の移送路方向）に屈曲して固定刃１２に対向可能な対向摺接プレート部２０と、対向摺接プレート部２０に対して所定の鋭角で上流側に屈曲している案内プレート部２１と、この案内プレート部２１と対向摺接プレート部２０との間の屈曲部２２と、を有する。
【００１４】
とくに図８に示すように、プラテンローラー１１の下流側において、案内プレート部２１との間に移送間隙をあけて案内プレート部２１に対向する下方案内プレート２３を設けている。この下方案内プレート２３と、カッターステー１５の案内プレート部２１との間にラベル用紙３を移送可能とし、固定刃１２と対向する可動刃１３の固定刃１２方向への駆動によりラベル用紙３をフルカットＦあるいはパーシャルカットＰ形態（図６）に切断可能とする。
あるいは、既述のように、パーシャルカットＰ形態における切残し量（非切断部３Ｂの長さ）を調整可能とする。
【００１５】
カッターカバー１６は、固定刃１２の下流側において固定刃１２に対向する対向プレート部２４と、切断されたラベル用紙３（ラベル片３Ａ）をさらに下流側の発行口８（図４）方向に案内する左右一対の案内プレート部２５と、を有する。
カッターカバー１６の対向プレート部２４には、左右一対のカバー貫通孔２６および固定刃位置調整用傾斜窓２７をそれぞれ形成するとともに、対向プレート部２４の上流側面には、固定刃１２との係合用凸部２８（係合部）を左右一対に突出形成している。
カバー貫通孔２６は、留めボルト１８をネジ留め可能なネジをその内壁面に切ってある。
固定刃位置調整用傾斜窓２７は、カッターカバー１６の長さ方向に対して所定の傾斜角度で傾斜している。
【００１６】
固定刃１２には、カバー貫通孔２６に位置合わせした左右一対の固定刃貫通孔２９を形成するとともに、その下流側側面にはカッターカバー１６の係合用凸部２８に位置合わせした左右一対の係合用孔部３０（係合部）を形成している。
左右一対の係合用孔部３０と係合用凸部２８との係合により、固定刃１２およびカッターカバー１６をその対向面内において一体化可能とし、後述する固定刃位置調整用スライダー１７の操作に応じて、一体化した固定刃１２およびカッターカバー１６を、図７および図８中、上下方向（可動刃１３方向）に位置調整可能とする。
【００１７】
カッターステー１５には、カッターカバー１６のカバー貫通孔２６および固定刃１２の固定刃貫通孔２９に位置合わせして、左右一対の調整用長窓３１を形成しているとともに、この調整用長窓３１は、可動刃１３の方向に向かって延びるように長くこれを形成し、固定刃１２を可動刃１３に対して位置調整可能とする。
さらにカッターステー１５には、その長さ方向に平行に所定の長さで形成した左右一対の平行窓３２を形成してある。
【００１８】
固定刃位置調整用スライダー１７は、カッターステー１５とカッターカバー１６との間において、固定刃１２の可動刃１３とは反対側の部位であって、固定刃１２の上方部位にこれを位置させている。
固定刃位置調整用スライダー１７は、カッターステー１５の平行窓３２に係合して移動可能な左右一対の平行窓係合凸部３３をカッターステー１５に面したその上流側に突出形成するとともに、カッターカバー１６の固定刃位置調整用傾斜窓２７に係合して移動可能な左右一対の傾斜窓係合凸部３４をカッターカバー１６に面したその下流側に突出形成している。
なお、固定刃位置調整用スライダー１７の左右一対上方部位には、操作片３５を屈曲形成して、手動による左右方向への操作を可能としている。
【００１９】
かくして、固定刃位置調整用スライダー１７は、固定刃１２の左右長さ方向にこれを移動操作可能とすることにより、固定刃１２の可動刃１３に対する相対的位置を調整可能である。
具体的には、左右一対の留めボルト１８をカッターカバー１６のカバー貫通孔２６に対してやや緩めることにより、カッターステー１５およびカッターカバー１６に対して、固定刃位置調整用スライダー１７を操作可能な状態となる。さらに、固定刃位置調整用スライダー１７の操作により、固定刃１２およびカッターカバー１６を位置調整可能な状態となる。
【００２０】
とくに図７の実線矢印に示すように、固定刃位置調整用スライダー１７を図中、左上方（ラベル用紙３の移送方向上流側から下流側を見て右側方向）にスライドさせると、その平行窓係合凸部３３が平行窓３２の右側内方端部３２Ｒまで移動するとともに、その傾斜窓係合凸部３４が固定刃位置調整用傾斜窓２７の右側内方端部２７Ｒ（下側内方端部）まで移動することにより、固定刃１２およびカッターカバー１６をカッターステー１５に対して上方（可動刃１３から離反する方向）に引き上げて位置調整する。
したがって、可動刃１３に対する固定刃１２の位置が上方に移動セットされることとなり、切断部７によるラベル用紙３のカットは、パーシャルカットＰ（図６）の切断形態となる。
あるいは、パーシャルカットＰ操作時におけるその切残し量（非切断部３Ｂの長さ）をより長くすることができる。
【００２１】
反対に、図７の点線矢印に示すように、固定刃位置調整用スライダー１７を図中、右下方（ラベル用紙３の移送方向上流側から下流側をから見て左側方向）にスライドさせると、その平行窓係合凸部３３が平行窓３２の左側内方端部３２Ｌまで移動するとともに、その傾斜窓係合凸部３４が固定刃位置調整用傾斜窓２７の左側内方端部２７Ｌ（上側内方端部）まで移動することにより、固定刃１２およびカッターカバー１６をカッターステー１５に対して下方（可動刃１３に接近する方向）に押し下げて位置調整する。
したがって、可動刃１３に対する固定刃１２の位置が下方に移動セットされることとなり、切断部７によるラベル用紙３のカットは、フルカットＦ（図６）の切断形態となる。
あるいは、既述のように、パーシャルカットＰ操作時におけるその切残し量（非切断部３Ｂの長さ）をより短くすることができる。
いずれの場合も、位置調整完了後留めボルト１８を再度締め付けることにより、カッターステー１５、固定刃１２およびカッターカバー１６をその位置で固定すれば、固定刃１２の可動刃１３に対する調整位置を固定セットすることができる。
【００２２】
こうした構成の切断部７および固定刃位置調整機構１４においては、カッターステー１５がプリンター本体２に対して常に固定状態に取り付けられているため、固定刃１２を可動刃１３に対して位置調整した際に、カッターステー１５の案内プレート部２１と固定刃１２との相対的位置が、固定刃１２の調整位置によってそれぞれ異なってくるという問題がある。
【００２３】
図９は、カッターステー１５の案内プレート部２１および屈曲部２２と固定刃１２との相対位置関係を示す要部拡大側面図である。
図９（１）は、案内プレート部２１および屈曲部２２と固定刃１２との相対位置関係が適正であって、ラベル用紙３が正常に固定刃１２および可動刃１３の間に供給可能となり、適正な切断が行われる状態を示す要部拡大側面図である。すなわち、固定刃１２の上流側やや上方にカッターステー１５の屈曲部２２が位置し、屈曲部２２と固定刃１２の尖端刃部１２Ａとの間にわずかな段差Ｄ１があっても、ラベル用紙３の用紙先端部３Ｃを固定刃１２および可動刃１３の間に適正に案内してこれを切断可能である。
【００２４】
図９（２）は、固定刃１２を可動刃１３に向かって、とくに最下方に位置調整した場合の要部拡大側面図であって、固定刃１２が屈曲部２２より下方に位置してしまうため、屈曲部２２と固定刃１２の尖端刃部１２Ａとの間に段差Ｄ２が大きくなり、ラベル用紙３の用紙先端部３Ｃが固定刃１２に当たって、用紙詰まりおよびその結果としての印字白抜けなどの原因になるという問題がある。とくに、サーマルプリンター１の供給部４においてロール状の巻かれているラベル用紙３が反ったまま固定刃１２ないし段差Ｄ２部分に移送されてくると、さらに用紙詰まりを起こしやすくなるという問題がある。
【００２５】
図９（３）は、図９（２）に示した問題を解消するために、カッターステー１５を当初から可動刃１３側に近接して下方に設けている場合の要部拡大側面図であって、この場合には、固定刃１２を可動刃１３から離反するように上方に位置調整した際、図示のように、ラベル用紙３が案内プレート部２１、屈曲部１２、固定刃１２および可動刃１３の部分で蛇行して、かえって用紙詰まりの原因になってしまうという問題がある。
【００２６】
いずれにしても、常時固定状態のカッターステー１５に対する固定刃１２の相対的位置関係によって、用紙詰まりを発生しかねないという問題がある。
【先行技術文献】
【特許文献】
【００２７】
【特許文献１】特開２００８−２０７３０３号公報
【発明の概要】
【発明が解決しようとする課題】
【００２８】
本発明は以上のような諸問題にかんがみなされたもので、切断部への印字用紙の移送案内を適正に行うことができるようにしたプリンターにおける切断部の用紙ガイド装置を提供することを課題とする。
【００２９】
また本発明は、固定刃の可動刃に対する位置調整操作によっても、印字用紙の用紙詰まりを発生しないようにしたプリンターにおける切断部の用紙ガイド装置を提供することを課題とする。
【００３０】
また本発明は、印字用紙の切断形態としてフルカットあるいはパーシャルカットに切り替えても、あるいはまた、パーシャルカットの切残し量を調整しても、印字用紙の用紙詰まりを発生しないようにしたプリンターにおける切断部の用紙ガイド装置を提供することを課題とする。
【課題を解決するための手段】
【００３１】
すなわち本発明は、従来のカッターステーを固定プレートおよび案内プレートに分割すること、および案内プレートと固定刃とを一体化することに着目したもので、 プリンター本体と、このプリンター本体に装填した印字用紙に印字する印字部と、この印字部において印字された上記印字用紙を切断する固定刃および可動刃を備えた切断部と、を有するプリンターにおける切断部の用紙ガイド装置であって、上記切断部は、上記固定刃を上記可動刃に対して位置調整可能な固定刃位置調整機構を有し、この固定刃位置調整機構は、上記プリンター本体に取り付けた固定プレートと、この固定プレートに対して位置調整可能に取り付けるとともに、上記印字用紙の用紙先端部を上記固定刃および上記可動刃の間に案内可能な案内プレートと、を有し、上記固定刃はこれを、上記固定プレートに対してこの案内プレートと一体的に位置調整可能としていることを特徴とするプリンターにおける切断部の用紙ガイド装置である。
【００３２】
上記固定刃位置調整機構は、上記固定プレートに対向して上記固定プレートとの間に上記固定刃を位置させるとともに、その長さ方向に対して傾斜している固定刃位置調整用傾斜窓を形成した可動プレートと、この可動プレートに形成した可動プレート貫通孔、上記固定刃に形成した固定刃貫通孔、上記案内プレートに形成した案内プレート貫通孔、および上記固定プレートに形成した調整用長窓に係合可能な留め具と、上記可動プレートの上記固定刃位置調整用傾斜窓、および上記固定プレートにその長さ方向に平行に形成した平行窓にそれぞれ係合するとともに、上記固定プレートに対して平行に移動調整可能な固定刃位置調整用スライダーと、を有することができる。
【００３３】
上記固定プレートの上記調整用長窓は、上記固定刃を上記可動刃に対して位置調整可能とする方向に延びていることができる。
【００３４】
上記案内プレートは、上記固定刃の面に沿って互いに固定可能な取付けプレート部と、この取付けプレート部に対して屈曲しているとともに、上記印字用紙を上記固定刃および上記可動刃の間に案内可能な案内プレート部と、この案内プレート部と上記取付けプレート部との間の屈曲部と、を有することができる。
【００３５】
上記固定刃の尖端刃部は、上記案内プレートの上記屈曲部の近傍にこれを位置させていることができる。
【００３６】
上記可動プレートおよび上記固定刃は、互いに係合することにより上記可動プレートおよび上記固定刃を互いに一体化可能な係合部をそれぞれ有することができる。
【００３７】
上記固定刃位置調整用スライダーは、上記固定プレートの上記平行窓に係合して移動可能な平行窓係合凸部と、上記可動プレートの上記固定刃位置調整用傾斜窓に係合して移動可能な傾斜窓係合凸部と、を有することができる。
【００３８】
上記固定刃位置調整用スライダーは、上記固定プレートと上記可動プレートとの間において、上記固定刃の上記可動刃とは反対側の部位にこれを位置させていることができる。
【００３９】
上記固定刃位置調整用スライダーは、上記固定刃の左右長さ方向にこれを移動可能とすることにより、上記固定刃の上記可動刃に対する相対的位置を調整可能であることができる。
【００４０】
上記固定プレートは、上記印字用紙の移送方向において上記案内プレートより上流側に設けた固定ステーであることができる。
【００４１】
上記可動プレートは、上記印字用紙の移送方向において上記案内プレートより下流側に設けたカッターカバーであることができる。
【００４２】
上記案内プレートは、上記固定プレートより薄くこれを形成するとともに、上記固定プレートと上記固定刃との間において、上記案内プレートと同じ厚さのスペーサーを配置していることができる。
【００４３】
上記固定プレートは、上記印字用紙の移送方向において上記案内プレートより下流側に設けたカッターカバーであることができる。
【００４４】
上記可動プレートは、上記印字用紙の移送方向において上記案内プレートより上流側に設けたステーであることができる。
【発明の効果】
【００４５】
本発明によるプリンターにおける切断部の用紙ガイド装置においては、プリンター本体に固定的に取り付ける固定プレートに対して位置調整可能に取り付けるとともに、印字用紙の用紙先端部を固定刃および可動刃の間に案内可能な案内プレートを設け、固定刃を固定プレートに対してこの案内プレートと一体的に位置調整可能としているので、可動刃に対して固定刃を位置調整したとしても、この固定刃と案内プレートが一体化して移動するだけであるため、固定刃と案内プレートとの間で印字用紙が用紙詰まりを起こすことを防止可能である。
【図面の簡単な説明】
【００４６】
【図１】本発明の実施例によるプリンターにおける切断部の用紙ガイド装置４０の説明図であって、図１（１）は、用紙ガイド装置４０の、ラベル用紙３の移送方向上流側から下流側方向に見た説明図、図１（２）は、用紙ガイド装置４０の、ラベル用紙３の移送方向下流側から上流側方向に見た説明図である。
【図２】同、用紙ガイド装置４０の分解斜視図である。
【図３】同、用紙ガイド装置４０のラベル用紙３の移送方向に沿った縦断面図である。
【図４】従来からのプリンター（たとえばサーマルプリンター１）の概略側面図である。
【図５】同、ラベル用紙３の移送方向から見た固定刃１２および可動刃１３の幅方向概略図である。
【図６】同、切断部７によるラベル用紙３の切断形態の平面説明図である。
【図７】同、切断部７において、現在提案されている固定刃位置調整機構１４の分解斜視図である。
【図８】同、固定刃位置調整機構１４のラベル用紙３の移送方向に沿った縦断面図である。
【図９】同、カッターステー１５の案内プレート部２１および屈曲部２２と固定刃１２との相対位置関係を示す要部拡大側面図であって、図９（１）は、案内プレート部２１および屈曲部２２と固定刃１２との相対位置関係が適正であって、ラベル用紙３が正常に固定刃１２および可動刃１３の間に供給可能となり、適正な切断が行われる状態を示す要部拡大側面図、図９（２）は、固定刃１２を可動刃１３に向かって、とくに最下方に位置調整した場合の要部拡大側面図、図９（３）は、図９（２）に示した問題を解消するために、カッターステー１５を当初から可動刃１３側に近接して下方に設けている場合の要部拡大側面図である。
【発明を実施するための形態】
【００４７】
本発明は、案内プレートと固定刃とを一体化するようにし、可動刃に対して固定刃を位置調整したとしても、この固定刃と案内プレートが一体化して位置調整されるため、固定刃と案内プレートとの間で印字用紙が用紙詰まりを起こすことを防止し、安定した印字用紙の案内を可能としたプリンターにおける切断部の用紙ガイド装置を実現した。
【実施例】
【００４８】
つぎに本発明の実施例によるプリンターにおける切断部の用紙ガイド装置４０を図１ないし図３にもとづき説明する。ただし、図４ないし図９と同様の部分には同一符号を付し、その詳述はこれを省略する。
図１は、用紙ガイド装置４０の説明図であって、図１（１）は、用紙ガイド装置４０の、ラベル用紙３の移送方向上流側から下流側方向に見た説明図、図１（２）は、用紙ガイド装置４０の、ラベル用紙３の移送方向下流側から上流側方向に見た説明図である。
【００４９】
切断部７の用紙ガイド装置４０は、固定刃１２を可動刃１３に対して位置調整可能な固定刃位置調整機構４１を有する。
図２は、用紙ガイド装置４０の分解斜視図、図３は、用紙ガイド装置４０のラベル用紙３の移送方向に沿った縦断面図である。
【００５０】
固定刃位置調整機構４１は、固定ステー４２（固定プレート）と、案内プレート４３と、前記カッターカバー１６（可動プレート）と、前記固定刃位置調整用スライダー１７と、前記左右一対の留めボルト１８（留め具）と、を有する。
【００５１】
固定ステー４２は、前記カッターステー１５と同様に、その留めプレート部１９において前記プリンター本体２にこれを固定している。ただし固定ステー４２は、カッターステー１５のような案内プレート部２１を備えていないとともに、その対向摺接プレート部２０もカッターステー１５のものより短くこれを形成している。
固定ステー４２は、固定刃１２を可動刃１３に対して位置調整可能とする可動刃１３の方向に向かう前記左右一対の調整用長窓３１を形成している。
【００５２】
案内プレート４３は、この固定ステー４２に対して位置調整可能に取り付けるとともに、ラベル用紙３の用紙先端部を固定刃１２および可動刃１３の間に案内可能である。
後述するように、固定ステー４２に対して案内プレート４３と一体的に固定刃１２を位置調整可能としている。
【００５３】
また案内プレート４３は、固定刃１２の面に沿って互いに固定可能な取付けプレート部４４と、この取付けプレート部４４に対してラベル用紙３の移送方向上流側に所定の鋭角で屈曲しているとともに、ラベル用紙３を固定刃１２および可動刃１３の間に案内可能な案内プレート部４５と、この案内プレート部４５と取付けプレート部４４との間の屈曲部４６と、を有する。
とくに図３に示すように、固定刃１２の尖端刃部１２Ａは、案内プレート４３の屈曲部４６の近傍であって、屈曲部４６よりわずかに可動刃１３に対して近接している部位にこれを位置させている。すなわち、固定刃１２の尖端刃部１２Ａと屈曲部４６の間の段差Ｄ３は、ごくわずかであって、前述した段差Ｄ１（図９（１））と同等ないしそれ以下とし、さらには、段差Ｄ２（図９（２））より小さくこれを選択する。
【００５４】
図２に戻って、カッターカバー１６は、固定ステー４２に対向して固定ステー４２との間に固定刃１２および案内プレート４３を位置させるとともに、その長さ方向に対して所定の傾斜角度で傾斜している前記固定刃位置調整用傾斜窓２７を形成している。
図７において既述のように、カッターカバー１６および固定刃１２は、互いに係合することによりカッターカバー１６および固定刃１２を互いに一体化可能な前記係合部（係合用凸部２８、係合用孔部３０）をそれぞれ有する。
【００５５】
図７において既述したように、固定刃位置調整用スライダー１７は、固定ステー４２の平行窓３２に係合して移動可能な平行窓係合凸部３３と、カッターカバー１６の固定刃位置調整用傾斜窓２７に係合して移動可能な傾斜窓係合凸部３４と、を有するとともに、固定ステー４２およびカッターカバー１６に対して平行に移動調整可能である。
また、固定刃位置調整用スライダー１７は、固定ステー４２とカッターカバー１６との間において、固定刃１２の可動刃１３とは反対側の部位にこれを位置させ、固定刃１２の左右長さ方向にこれを移動可能とすることにより、固定刃１２の可動刃１３に対する相対的位置を調整可能である。
【００５６】
なお、カッターカバー１６の対向プレート部２４における下流表面側に、位置調整用目盛り４７を設けてあり、固定刃位置調整用スライダー１７をカッターカバー１６に沿って移動操作する際の目安としている。
【００５７】
留めボルト１８は、カッターカバー１６に形成したカバー貫通孔２６（可動プレート貫通孔）、固定刃１２に形成した固定刃貫通孔２９、案内プレート４３に形成した案内プレート貫通孔４８、および固定ステー４２に形成した調整用長窓３１に挿通して、固定ステー４２、案内プレート４３、固定刃１２およびカッターカバー１６の締付けセットおよびその解除を可能としている。
【００５８】
なお、とくに図３に示すように、案内プレート４３は、固定ステー４２より薄くこれを形成するとともに、固定ステー４２と固定刃１２との間において、案内プレート４３と同じ厚さのスペーサー４９を配置することにより、固定ステー４２に対する案内プレート４３の摺動を円滑にしている。
また、固定ステー４２とスペーサー４９とを位置合わせするために、位置合わせ用貫通孔５０を形成してある。
【００５９】
また、とくに図２に示すように、案内プレート４３の取付けプレート部４４には、留めボルト１８が貫通するカッターカバー１６の左右一対のカバー貫通孔２６、固定刃１２の左右一対の固定刃貫通孔２９および左右一対の固定ステー４２の調整用長窓３１と位置合わせが可能な左右一対の案内プレート貫通孔４８を形成しているが、いずれか一方の案内プレート貫通孔４８を横長形状とすることにより、固定ステー４２、案内プレート４３、固定刃１２およびカッターカバー１６の四部品の製作誤差および組付け誤差を吸収可能としている。
【００６０】
こうした構成の用紙ガイド装置４０および固定刃位置調整機構４１において、前述の固定刃位置調整機構１４（図７）と同様に、固定刃位置調整用スライダー１７を図２中、左右方向（ラベル用紙３の幅方向）に操作することにより、その左右一対の平行窓係合凸部３３および傾斜窓係合凸部３４をそれぞれ、固定ステー４２の平行窓３２およびカッターカバー１６の固定刃位置調整用傾斜窓２７内で移動させ、固定ステー４２に対して、固定刃１２およびカッターカバー１６を上下方向に位置調整することができる。
【００６１】
ただし、左右一対の留めボルト１８により固定刃１２と案内プレート４３とが一体化されているため、固定刃１２の上下位置調整に合わせて案内プレート４３もその相対的位置関係を常時同じ状態に保持することができる。
すなわち、図９（２）で説明したような段差Ｄ２を生ずることなく、常時適正な段差Ｄ３（図３）を維持して、ラベル用紙３を固定刃１２および可動刃１３の間に適正に案内することができる。
したがって、ラベル用紙３の用紙先端部３Ｃが固定刃１２や、大きく形成される段差の部分に引っ掛かることなく用紙詰まり、および用紙詰まりに起因する印字白抜けなどの不具合を解消して安定したラベル用紙３の案内機能を発揮することができる。
【００６２】
なお、上述の実施例においては、固定プレートとして、ラベル用紙３の移送方向において案内プレート４３より上流側に設けた固定ステー４２を採用し、可動プレートとしては、ラベル用紙３の移送方向において案内プレート４３より下流側に設けたカッターカバーを採用した構成を説明したが、本発明においては、固定プレートおよび可動プレートとしていずれかを選択するかは任意である。
すなわち、固定プレートとして、ラベル用紙３の移送方向において案内プレート４３より下流側に設けたカッターカバー１６を採用し、可動プレートとしては、ラベル用紙３の移送方向において案内プレート４３より上流側に設けたステー（図２では、固定ステー４２として説明しているステー）を採用する構成を選択することができる。
もちろん、この構成の場合には、固定プレートとしてのカッターカバー１６に調整用長窓３１や平行窓３２を形成するとともに、可動プレートとしてのステーに固定刃位置調整用傾斜窓２７を形成するなど、必要な設計変更を行うものとする。
【符号の説明】
【００６３】
１  サーマルプリンター（プリンター、図４）
２  プリンター本体
３  ラベル用紙（印字用紙）
３Ａ  ラベル用紙３の単葉のラベル片（図６）
３Ｂ  ラベル用紙３の非切断部（図６）
３Ｃ  ラベル用紙３の用紙先端部（図９）
４  供給部
５  検出部
６  印字部
７  切断部
８  発行口
９  位置検出センサー
１０  サーマルヘッド
１１  プラテンローラー
１２  固定刃
１２Ａ  固定刃１２の尖端刃部
１３  可動刃
１３Ａ  可動刃１３の傾斜刃部
１４  固定刃位置調整機構（図７）
１５  カッターステー
１６  カッターカバー（可動プレート）
１７  固定刃位置調整用スライダー
１８  左右一対の留めボルト（留め具）
１９  カッターステー１５の留めプレート部
２０  カッターステー１５の対向摺接プレート部
２１  カッターステー１５の案内プレート部
２２  カッターステー１５の屈曲部
２３  下方案内プレート
２４  カッターカバー１６の対向プレート部
２５  カッターカバー１６の案内プレート部
２６  左右一対のカバー貫通孔（可動プレート貫通孔）
２７  左右一対の固定刃位置調整用傾斜窓
２７Ｒ  固定刃位置調整用傾斜窓２７の右側内方端部
２７Ｌ  固定刃位置調整用傾斜窓２７の左側内方端部
２８  カッターカバー１６に形成した左右一対の係合用凸部（係合部）
２９  固定刃１２に形成した左右一対の固定刃貫通孔
３０  固定刃１２に形成した左右一対の係合用孔部（係合部）
３１  カッターステー１５（図７）、固定ステー４２（図２）に形成した左右一対の調整用長窓
３２  カッターステー１５（図７）、固定ステー４２（図２）に形成した左右一対の平行窓
３２Ｒ  平行窓３２の右側内方端部
３２Ｌ  平行窓３２の左側内方端部
３３  固定刃位置調整用スライダー１７に形成した平行窓係合凸部
３４  固定刃位置調整用スライダー１７に形成した傾斜窓係合凸部
３５  固定刃位置調整用スライダー１７に形成した操作片
４０  プリンター（サーマルプリンター１）における切断部７の用紙ガイド装置（実施例、図２）
４１  固定刃位置調整機構
４２  固定ステー（固定プレート）
４３  案内プレート
４４  案内プレート４３の取付けプレート部
４５  案内プレート４３の案内プレート部
４６  案内プレート４３の屈曲部
４７  カッターカバー１６に設けた位置調整用目盛り
４８  案内プレート４３に形成した左右一対の案内プレート貫通孔
４９  スペーサー
５０  位置合わせ用貫通孔
Ｆ    フルカット（図６）
Ｐ    パーシャルカット（図６）
Ｄ１  カッターステー１５の屈曲部２２と固定刃１２の尖端刃部１２Ａとの間のわずかな段差（図９（１））
Ｄ２  カッターステー１５の屈曲部２２と固定刃１２の尖端刃部１２Ａとの間の大きな段差（図９（２））
Ｄ３  案内プレート４３の屈曲部４６と固定刃１２の尖端刃部１２Ａとの間のわずかな段差（図３）
【図１】
2015044368.tif 000003
【図２】
2015044368.tif 000004
【図３】
2015044368.tif 000005
【図４】
2015044368.tif 000006
【図５】
2015044368.tif 000007
【図６】
2015044368.tif 000008
【図７】
2015044368.tif 000009
【図８】
2015044368.tif 000010
【図９】
2015044368.tif 000011